(57)【特許請求の範囲】
【請求項１】
信号を伝送する複数の伝送路と、前記伝送路を覆う外被部と、を有するケーブルと、
前記ケーブルの一端に取付けられ、前記外被部から露出した前記伝送路を整列させる整列モールドと、
前記ケーブルの一端に取付けられ、前記外被部から露出した前記伝送路、及び前記整列モールドを収容する金属ハウジングと、
金属製のフランジリングと、を備え、
前記整列モールドには、前記外被部の一端を覆うように収容する収容部が形成されており、
前記ケーブルは、前記伝送路及び前記外被部の間に介在し前記伝送路を覆うシールド部を更に有し、
前記シールド部は、前記外被部の一端において、前記外被部の他端側に折り返されるようにして前記外被部の外周を覆う外周被覆部を有すると共に、前記金属ハウジングと電気的に接続されており、
前記整列モールドは、前記収容部において前記外周被覆部の少なくとも一部に当接しながら、前記外被部の一端を収容し、
前記フランジリングは、前記外周被覆部のうち前記収容部に収容されていない部分の外周においてかしめられ固定されて取付けられた状態で、前記金属ハウジングに当接している、整列モールド構造。
【請求項２】
前記外周被覆部のうち前記収容部に収容されていない部分の外周に巻かれた金属テープを更に備え、
前記金属テープは、前記金属ハウジングに当接している、請求項１記載の整列モールド構造。
【請求項３】
前記外周被覆部は、前記整列モールドの外周を覆うモールド被覆部を更に有し、
前記モールド被覆部は、直接又は金属テープを介して、前記金属ハウジングに当接している、請求項１又は２記載の整列モールド構造。
【請求項４】
前記金属ハウジングに取付けられたバネ性の金属部材を更に備え、
前記バネ性の金属部材は、前記外周被覆部のうち前記収容部に収容されていない部分に当接している、請求項１〜３のいずれか一項記載の整列モールド構造。
【発明の詳細な説明】
【技術分野】
【０００１】
本発明は、ケーブルの整列モールド構造に関する。
【背景技術】
【０００２】
従来、ケーブルの端部又は接続部において、プレモールド等によってケーブルを覆うことにより、ケーブル内の配線を整列させる技術が知られている（例えば特許文献１及び２参照）。特許文献１では、プレモールド外周に編組を巻き、上から銅テープを巻くことが開示されている。また、特許文献２では、外被を剥いて編組の上から銅テープを巻き、銅テープ及び編組を後方へ折り返した後に再度前方に折り返すことが開示されている。
【先行技術文献】
【特許文献】
【０００３】
【特許文献１】特開２０１２−５０２４４４号公報
【特許文献２】特開２０１３−５２４４３５号公報
【発明の概要】
【発明が解決しようとする課題】
【０００４】
上述したプレモールドにより覆われたケーブルは、例えばケーブルの端部において金属ハウジング（コネクタ）に収容され、外部装置に接続される。ここで、金属ハウジングに収容された状態であっても、様々な要因よってケーブルに張力が加わることがあり、当該張力によってケーブルの機能を担保できないおそれがある。
【０００５】
本発明は、上記実情に鑑みてなされたものであり、ケーブルの引張特性を向上させることができる整列モールド構造を提供することを課題とする。
【課題を解決するための手段】
【０００６】
上述した課題を解決するために、本願発明による整列モールド構造は、信号を伝送する複数の伝送路と、伝送路を覆う外被部と、を有するケーブルと、ケーブルの一端に取付けられ、外被部から露出した伝送路を整列させる整列モールドと、を備え、整列モールドには、外被部の一端を覆うように収容する収容部が形成されている。
【発明の効果】
【０００７】
本発明による整列モールド構造によれば、ケーブルの引張特性を向上させることができる。
【図面の簡単な説明】
【０００８】
【図１】図１は、第１実施形態に係る信号伝送用ケーブルの構成を示す図である。
【図２】図２は、コネクタ周辺の詳細を示す図である。
【図３】図３は、図２のＩＩＩ−ＩＩＩ線に沿った断面図であり、整列モールド構造の断面図である。
【図４】図４は、第２実施形態に係る整列モールド構造の断面図である。
【図５】図５は、第３実施形態に係る整列モールド構造の断面図である。
【図６】図６は、第４実施形態に係る整列モールド構造の断面図である。
【発明を実施するための形態】
【０００９】
［本願発明の実施形態の説明］
最初に、本願発明の実施形態の内容を列記して説明する。（１）本願発明による整列モールド構造は、信号を伝送する複数の伝送路と、伝送路を覆う外被部と、を有するケーブルと、ケーブルの一端に取付けられ、外被部から露出した伝送路を整列させる整列モールドと、を備え、整列モールドには、外被部の一端を覆うように収容する収容部が形成されている。
【００１０】
本発明に係る整列モールド構造では、整列モールドに、外被部の一端を収容する収容部が形成されている。そして、当該収容部は、外被部の一端を、覆うように収容する。外被部の一端が整列モールド（の収容部）に覆われているので、ケーブルに対して引っ張る力が加わった場合において、整列モールド（の収容部）に覆われた外被部の一端を整列モールドから抜け難くすることができ、その結果、ケーブルの引張特性を向上させることができる。
【００１１】
（２）上記の整列モールド構造では、ケーブルが、伝送路及び外被部の間に介在し伝送路を覆うシールド部を更に有し、シールド部が、外被部の一端において、外被部の他端側に折り返されるようにして外被部の外周を覆う外周被覆部を有し、整列モールドが、収容部において外周被覆部の少なくとも一部に当接しながら、外被部の一端を収容してもよい。外被部に加えて外被部の外周を覆う外周被覆部が収容部に当接しているので、収容部によるケーブルの固定力が向上し、ケーブルの引張特性を向上させることができる。
【００１２】
（３）上記の整列モールド構造は、ケーブルの一端に取付けられ、外被部から露出した伝送路、及び整列モールドを収容する金属ハウジングを更に備え、シールド部が、金属ハウジングと電気的に接続されていてもよい。ケーブルのシールド部及び金属ハウジングが導通することにより、シールド部及び金属ハウジングの間からノイズが侵入することを抑制できる。
【００１３】
（４）上記の整列モールド構造は、外周被覆部のうち収容部に収容されていない部分の外周に巻かれた金属テープを更に備え、金属テープが、金属ハウジングに当接していてもよい。外周被覆部に巻かれた金属テープと金属ハウジングとを当接させることにより、ケーブルのシールド部及び金属ハウジングを導通させることができ、シールド部及び金属ハウジングの間からノイズが侵入することを抑制できる。金属テープはその巻き数を調整することにより、ケーブルの外径によらずに、ケーブルのシールド部及び金属ハウジングを導通させることができる。
【００１４】
（５）上記の整列モールド構造は、外周被覆部のうち収容部に収容されていない部分の外周に取付けられた金属製のフランジリングを更に備え、フランジリングは、外周被覆部の外周においてかしめられ固定された状態で、金属ハウジングに当接していてもよい。外周被覆部に固定された金属製のフランジリングと金属ハウジングとを当接させることにより、ケーブルのシールド部及び金属ハウジングを導通させることができ、シールド部及び金属ハウジングの間からノイズが侵入することを抑制できる。
【００１５】
（６）上記の整列モールド構造では、外周被覆部が、整列モールドの外周を覆うモールド被覆部を更に有し、モールド被覆部が、直接又は金属テープルを介して、金属ハウジングに当接していてもよい。モールド被覆部を金属ハウジングに当接させることによって導通を図ることにより、ケーブルの外径に応じて金属テープの巻き数を調整すること等が不要になり、作業性が向上する。
【００１６】
（７）上記の整列モールド構造は、金属ハウジングに取付けられたバネ性の金属部材を更に備え、バネ性の金属部材は、外周被覆部のうち収容部に収容されていない部分に当接していてもよい。ばね性の金属部材を金属ハウジングに当接させることによって導通を図ることにより、ケーブルの外径によらずに、ケーブルのシールド部及び金属ハウジングを導通させることができる。
【００１７】
［本願発明の実施形態の詳細］
本発明の実施形態にかかる整列モールド構造の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００１８】
（第１実施形態）
【００１９】
図１は、第１実施形態に係る信号伝送用ケーブル１の構成を示す図である。図１に示されるように、本実施形態の信号伝送用ケーブル１は、２つのコネクタ１０と、ケーブル束２０（ケーブル）とを備える。一方のコネクタ１０はケーブル束２０の一端に取り付けられており、他方のコネクタ１０はケーブル束２０の他端に取り付けられている。ケーブル束２０は、信号を伝送する同軸ケーブルである複数本の配線２１（伝送路）が束ねられて成る。一方のコネクタ１０は、外部装置１０１に対して挿抜可能に構成されており、外部装置１０１に挿入されることによって外部装置１０１と電気的に接続される。他方のコネクタ１０は、別の外部装置１０２に対して挿抜可能に構成されており、外部装置１０２に挿入されることによって外部装置１０２と電気的に接続される。
【００２０】
図２は、コネクタ１０周辺の詳細を示す図である。図２に示されるように、コネクタ１０は、金属製のハウジング（以下、金属ハウジングと記載）１１を備えている。金属ハウジング１１内部には、ケーブル束２０の一端及び基板１２が収容されており、ケーブル束２０の配線２１が基板１２に半田付けされている。
【００２１】
図３は、図２のＩＩＩ−ＩＩＩ線に沿った断面図であり、整列モールド構造５０の断面図である。図３に示されるように、整列モールド構造５０は、ケーブル束２０と、整列モールド４０とを備えて構成されている。
【００２２】
整列モールド４０は、ケーブル束２０の一端に取付けられ、外被２２（外被部）から露出した配線２１を整列させる。整列モールド４０は、プラスチック又はポリカーボネート等を材料として成型されており、略立方体形状である。整列モールド４０には、ケーブル束２０の入口を構成する第１開口４２と、第１開口４２に連続しケーブル束２０の出口を構成する第２開口４１とが形成されている。第１開口４２の径は、ケーブル束２０の外径と略一致しており、より詳細にはケーブル束２０の外径よりもやや大きい（詳細は後述）。当該第１開口４２は、ケーブル束２０の外被２２の一端２２ａを覆うように収容する収容部である（詳細は後述）。第２開口４１の径は、第１開口４２の径及びケーブル束２０の外径よりも小さく、外被２２が剥かれて露出した状態の複数本の配線２１が通過可能な大きさとされている。整列モールド４０は配線２１を整列させるものであるので、第２開口４１の径は、複数本の配線２１が通過可能な必要最小限の大きさとされることが好ましい。第２開口４１を通過した配線２１は、基板１２に半田付けされる。
【００２３】
ケーブル束２０は、信号を伝送する複数の配線２１と、配線２１を覆うシースである外被２２と、を有している。外被２２は、例えばポリ塩化ビニル、ポリエステル、ウレタン、又はゴム等の絶縁体により構成されている。また、ケーブル束２０は、配線２１及び外被２２の間に介在し配線２１を覆うシールド部２３を更に有している。シールド部２３は、細い銅線を編んで形成される編組線（外部導体）である。
【００２４】
外被２２及びシールド部２３は、配線２１を露出させて基板１２に半田付けするために、ケーブル束２０の一端側においてその一部が剥かれている。外被２２では、剥かれた部分が切り離され、一端２２ａが外被２２の先端を形成している。シールド部２３では、剥かれた部分の少なくとも一部が切り離されずに残されている。シールド部２３は、切り離されずに残された部分によって構成された、外被２２の外周を覆う外周被覆部２３ｘを有している。すなわち、シールド部２３における残された部分は、外被２２の一端２２ａにおいて外被２２の他端側に向かって折り返され、外被２２の外周を覆う外周被覆部２３ｘを構成する。
【００２５】
整列モールド４０の第１開口４２には、少なくとも外被２２の一端２２ａ、及び一端２２ａの外周を覆う外周被覆部２３ｘの一部である外周被覆部２３ｂが収容されている。整列モールド４０は、第１開口４２において、外周被覆部２３ｂに当接しながら、外被２２の一端２２ａを収容している。より詳細には、整列モールド４０では、第１開口４２の領域を区画する整列モールド４０の内壁が、外周被覆部２３ｂの外周に沿って設けられ、当該外周全域に亘って外周被覆部２３ｂに当接するように設けられている。なお、シールド部２３は編組線であって網目状であるので、外周被覆部２３ｂに覆われた外被２２の一部も、整列モールド４０の内壁に当接している。
【００２６】
また、外周被覆部２３ｘは、外被２２の一端２２ａから外被２２の他端側に向かって延びた部分のうち第１開口４２に収容されていない部分（外周被覆部２３ｃ）を有している。当該外周被覆部２３ｃの外周には、金属テープ３０が巻かれている。当該金属テープ３０によって、外周被覆部２３ｘをまとめて固定することができる。更に、外周被覆部２３ｘは、外周被覆部２３ｃの外周に巻かれた金属テープ３０を折り線として外被２２の一端２２ａ側に向かって再度折り返され、外周被覆部２３ｃ及び金属テープ３０の外周を覆う外周被覆部２３ｄを有している。当該外周被覆部２３ｄの外周には、金属テープ３０が巻かれている。当該外周被覆部２３ｄに巻かれた金属テープ３０は、金属ハウジング１１に当接している。金属ハウジング１１は、ケーブル束２０の一端に取付けられ、外被２２から露出した配線２１、及び整列モールド４０を収容しており、また、グランドに接続されている。そのため、シールド部２３は、金属テープ３０を介して金属ハウジング１１と電気的に接続され、シールド部２３及び金属ハウジング１１の間から配線２１にノイズが侵入することを抑制できる。
【００２７】
以上の構成を備える本実施形態の整列モールド構造５０によって得られる効果について説明する。整列モールド構造５０では、整列モールド４０に、外被２２の一端２２ａを収容する第１開口４２が形成されている。そして、当該第１開口４２は、外被２２の一端２２ａを、覆うように収容する。外被２２の一端２２ａが整列モールド４０（の第１開口４２）に覆われているので、ケーブル束２０に対して引っ張る力が加わった場合において、整列モールド４０（の第１開口４２）に覆われた外被２２の一端２２ａを整列モールド４０から抜け難くすることができ、その結果、ケーブル束２０の引張特性を向上させることができる。
【００２８】
また、本実施形態に係る整列モールド構造５０では、ケーブル束２０が、配線２１及び外被２２の間に介在し配線２１を覆うシールド部２３を更に有し、シールド部２３が、外被２２の一端２２ａにおいて、外被２２の他端側に折り返されるようにして外被２２の外周を覆う外周被覆部２３ｘを有し、整列モールド４０は、第１開口４２において、一端２２ａの外周を覆う外周被覆部２３ｘである外周被覆部２３ｂに当接しながら、一端２２ａを収容する。外被２２に加えて外被２２の外周を覆う外周被覆部２３ｂが整列モールド４０に当接しているので、第１開口４２におけるケーブル束２０の固定力が向上し、ケーブル束２０の引張特性を向上させることができる。なお、本実施形態では、シールド部２３が編組線とされるので、整列モールド４０に当接したシールド部２３と整列モールド４０とを引っ掛かり易くすることができ、ケーブル束２０の固定力をより向上させることができる。
【００２９】
また、本実施形態に係る整列モールド構造５０は、ケーブル束２０の一端に取付けられ、外被２２から露出した配線２１及び整列モールド４０を収容する金属ハウジング１１を更に備え、シールド部２３は、金属ハウジング１１と電気的に接続されている。金属ハウジング１１がグランドに接続された状態において、ケーブル束２０のシールド部２３及び金属ハウジング１１が導通することにより、シールド部２３及び金属ハウジング１１の間からノイズが侵入することを抑制できる。
【００３０】
また、本実施形態に係る整列モールド構造５０は、第１開口４２に収容されていない外周被覆部２３ｃの外周に巻かれた金属テープ３０を更に備え、金属テープ３０が、金属ハウジング１１に当接している。外周被覆部２３ｃに巻かれた金属テープ３０と金属ハウジング１１とを当接させることにより、ケーブル束２０のシールド部２３及び金属ハウジング１１を導通させることができ、シールド部２３及び金属ハウジング１１の間からノイズが侵入することを抑制できる。また、金属テープ３０の巻き数を調整することにより、ケーブル束２０の外径によらずに、ケーブル束２０のシールド部２３及び金属ハウジング１１を導通させることができる。
【００３１】
（第２実施形態）
図４は、第２実施形態に係る整列モールド構造５０Ａの断面図である。図４に示されるように、整列モールド構造５０Ａの基本的な構成は、第１実施形態に係る整列モールド構造５０と同様であるが、金属テープ３０に代えて金属製のフランジリング３３が用いられている点で整列モールド構造５０と異なる。フランジリング３３は、銅等の金属（導体）により構成されている。
【００３２】
フランジリング３３は、ケーブル束２０の延在方向において整列モールド４０と隣接するように設けられており、より詳細には、整列モールド４０よりもケーブル束２０の他端側の位置で整列モールド４０と隣接している。また、フランジリング３３は、シールド部２３、より詳細には、外周被覆部２３ｃの外周に取り付けられている。フランジリング３３は、外周被覆部２３ｃの外周において、外周被覆部２３ｃごとケーブル束２０にかしめられている。そして、フランジリング３３の外周面が金属ハウジング１１に当接している。
【００３３】
以上の構成を備える本実施形態の整列モールド構造５０Ａによって得られる効果について説明する。整列モールド構造５０Ａは、外周被覆部２３ｃの外周に取付けられたフランジリング３３を更に備え、フランジリング３３は、外周被覆部２３ｃの外周においてかしめられ固定された状態で、金属ハウジング１１に当接している。外周被覆部２３ｃに固定された金属製のフランジリング３３と金属ハウジング１１とを当接させることにより、金属ハウジング１１をグランドに接続した状態において、ケーブル束２０のシールド部２３及び金属ハウジング１１を導通させることができ、シールド部２３及び金属ハウジング１１の間からノイズが侵入することを抑制できる。
【００３４】
（第３実施形態）
図５は、第３実施形態に係る整列モールド構造５０Ｂの断面図である。図５に示されるように、整列モールド構造５０Ｂの基本的な構成は、第１実施形態に係る整列モールド構造５０と同様であるが、金属テープ３１が、整列モールド４０の外周に巻かれている点で整列モールド構造５０と異なる。
【００３５】
整列モールド構造５０Ｂでは、外周被覆部２３ｘが、整列モールド４０の外縁に沿って設けられたモールド被覆部２３ｅを有している。モールド被覆部２３ｅは、第１開口４２の入口（ケーブル束２０の他端側）において外周被覆部２３ｂに連続しており、整列モールド４０の外縁に沿って整列モールド４０の外周まで延びている。更に、モールド被覆部２３ｅは、整列モールド４０の外周に沿って、第２開口４１の出口（ケーブル束２０の一端側）に向かって延び、整列モールド４０の外周を覆っている。そして、整列モールド４０の外周に沿って延びるモールド被覆部２３ｅの外周には、金属テープ３１が巻かれており、当該金属テープ３１が金属ハウジング１１に当接している。
【００３６】
以上の構成を備える本実施形態の整列モールド構造５０Ｂによって得られる効果について説明する。整列モールド構造５０Ｂでは、外周被覆部２３ｘが、整列モールド４０の外周を覆うモールド被覆部２３ｅを更に有し、モールド被覆部２３ｅは、金属テープ３１を介して、金属ハウジング１１に当接している。モールド被覆部２３ｅを金属ハウジング１１に当接させることによって導通を図ることにより、ケーブル束２０の外径に応じて金属テープの巻き数を調整すること等が不要になり、作業性が向上する。
【００３７】
（第４実施形態）
図６は、第４実施形態に係る整列モールド構造５０Ｃの断面図である。図６に示されるように、整列モールド構造５０Ｃの基本的な構成は、第１実施形態に係る整列モールド構造５０と同様であるが、金属ハウジング１１の内壁部にバネ性の金属部材３５が設けられている点で整列モールド構造５０と異なる。
【００３８】
整列モールド構造５０Ｃでは、金属ハウジング１１の内壁にバネ性の金属部材３５が設けられている。金属部材３５は、ケーブル束２０の延在方向に交差する方向に伸縮可能とされている。また、第１開口４２に収容されていない外周被覆部２３ｃには、整列モールド構造５０と同様、金属テープ３０が巻かれている。そして、金属部材３５と金属テープ３０とが当接している。
【００３９】
以上の構成を備える本実施形態の整列モールド構造５０Ｃによって得られる効果について説明する。整列モールド構造５０Ｃは、金属ハウジング１１に取付けられたバネ性の金属部材３５を更に備え、バネ性の金属部材３５が、第１開口４２に収容されていない外周被覆部２３ｃに当接している。ばね性の金属部材３５を金属ハウジング１１に当接させることによって導通を図ることにより、ケーブル束２０の外径によらずに、シールド部２３及び金属ハウジング１１を導通させることができる。すなわち、ケーブル束２０の外径に応じて金属部材３５を伸縮させることにより、様々な外径のケーブル束２０において、シールド部２３及び金属ハウジング１１を導通させることができる。
【００４０】
以上、本発明の好適な実施形態について説明したが、本発明は上記実施形態に限定されるものではない。例えば、第１実施形態において、第１開口４２の領域を区画する整列モールド４０の内壁が、外周被覆部２３ｂの外周全域に亘って外周被覆部２３ｂに当接するように設けられているとして説明したがこれに限定されず、整列モールドは、収容部において外周被覆部（シールド部）の少なくとも一部に当接するものであればよい。
【００４１】
また、第３実施形態において、モールド被覆部２３ｅが、金属テープ３１を介して、金属ハウジング１１に当接しているとして説明したがこれに限定されず、整列モールドの外周を覆うモールド被覆部が、直接金属ハウジングに当接していてもよい。
【符号の説明】
【００４２】
１１…金属ハウジング、２０…ケーブル束、２１…配線、２２…外被、２２ａ…一端、２３…シールド部、２３ｂ，２３ｃ，２３ｄ，２３ｅ，２３ｘ…外周被覆部、３０，３１…金属テープ、３３…フランジリング、３５…金属部材、４０…整列モールド、４２…第１開口、５０，５０Ａ，５０Ｂ，５０Ｃ…整列モールド構造
【図１】
0006476606.tif 000002
【図２】
0006476606.tif 000003
【図３】
0006476606.tif 000004
【図４】
0006476606.tif 000005
【図５】
0006476606.tif 000006
【図６】
0006476606.tif 000007